(57)【要約】 【課題】  スピーカによって出力する音声の周波数特性を容易かつ短時間に調整することができる電子装置を提供する。【解決手段】  スピーカ１２から出力される音声の周波数特性に関連する特性情報は、メモリスティックを介して車載装置２から通信端末装置３に供給された後、インターネット４を介してサーバ装置５に送信される。サーバ装置５では、前記特性情報に基づいて、スピーカ１２によって出力する音声の周波数特性を決定するパラメータを求める。このパラメータは、インターネット４を介して通信端末装置３に送信された後、メモリスティックを介して車載装置２に供給される。車載装置２の音声特性調整部１８は、サーバ装置５から供給されたパラメータに基づいて、スピーカ１２によって出力する音声の周波数特性が最適になるように、たとえば前記音声の音圧周波数特性が平坦になるように調整する。【選択図】      図１
2005086686.tif 000002
【特許請求の範囲】
【請求項１】
音声を出力する音声出力手段と、
音声出力手段から出力される音声を入力する音声入力手段と、
入力された音声の周波数特性に関連する特性情報を外部装置に出力する特性出力手段と、
音声出力手段によって出力する音声の周波数特性を決定するパラメータを入力するパラメータ入力手段と、
入力されるパラメータに基づいて、音声出力手段によって出力する音声の周波数特性を調整する音声特性調整手段とを含むことを特徴とする電子装置。
【請求項２】
特性出力手段は、記録媒体が着脱自在に装着され、装着された記録媒体に情報を記録する記録手段であることを特徴とする請求項１記載の電子装置。
【請求項３】
パラメータ入力手段は、記録媒体が着脱自在に装着され、装着された記録媒体に記録される情報を再生する再生手段であることを特徴とする請求項１記載の電子装置。
【請求項４】
記録媒体は、半導体メモリであることを特徴とする請求項２または３記載の電子装置。
【請求項５】
特性出力手段は、無線電波を介して外部装置と無線通信を行い、外部装置に情報を送信する無線通信手段であることを特徴とする請求項１記載の電子装置。
【請求項６】
パラメータ入力手段は、無線電波を介して外部装置と無線通信を行い、外部装置から送信される情報を受信する無線通信手段であることを特徴とする請求項１記載の電子装置。
【発明の詳細な説明】
【技術分野】
【０００１】
本発明は、コンパクトディスク（Compact Disk；略称：ＣＤ）などを再生するオーディオ装置などの電子装置に関する。
【背景技術】
【０００２】
従来技術の車載用オーディオシステム（以下、単に「オーディオシステム」と表記する場合がある）は、インターネットを介してセンタサーバと接続される。車両に搭載されたオーディオシステムのスピーカからピンクノイズを出力し、出力されたピンクノイズをオーディオシステムのマイクロフォンを用いて集音する。集音したピンクノイズは、マイコンによって解析され、車両内の音声の周波数特性に関するデータが得られる。前記音声の周波数特性に関するデータは、インターネットを介してセンタサーバへ送信される。センタサーバでは、オーディオシステムから送信された前記データを受信し、受信したデータを音響データベースとして保持する。センタサーバは、オーディオシステムから送信された周波数特性に関するデータに基づいて、音響データベースの中から前記データに応じたオーディオシステムの音響特性を調整するためのデータを抽出し、抽出したデータを、インターネットを介してオーディオシステムに送信する。オーディオシステムでは、センタサーバから送信された前記音響特性を調整するためのデータを受信し、この受信したデータに基づいて、オーディオシステムの音響特性の調整を行う（たとえば、特許文献１参照）。
【０００３】
【特許文献１】特開２００２−６７８１５号公報
【発明の開示】
【発明が解決しようとする課題】
【０００４】
従来の技術では、オーディオシステムの音響特性の調整を行うたびに、スピーカから出力されるピンクノイズを、マイクロフォンを用いて集音し、集音したピンクノイズを解析することによって、車両内の音声の周波数特性に関連するデータを取得している。そして、このデータをセンタサーバに送信し、センタサーバから送信されるオーディオシステムの音響特性を調整するためのデータに基づいて、オーディオシステムの音響特性の調整を行っている。
【０００５】
しかし、スピーカから出力され、車両内で取得した音声の周波数特性に関連するデータは、音声を出力するスピーカの位置、およびマイクロフォンの位置からスピーカの設置位置までの距離などによって変化するので、従来技術におけるオーディオシステムの音響特性の調整方法では、一度の調整作業で聴取者の乗車位置などの車両内の状況に応じたオーディオシステムの音響特性を実現するように調整することは困難である。このため、従来技術では、聴取者の乗車位置などの車両内の状況に応じたオーディオシステムの音響特性を実現するまで、車両内の音声の周波数特性に関連するデータを取得する作業と、この取得したデータに応じた音響特性を調整するためのデータに基づいてオーディオシステムの音響特性を調整する作業とを、繰返し行わなければならない。
【０００６】
したがって、前記音声の周波数特性に関するデータを取得する作業およびオーディオシステムの音響特性を調整する作業は、ユーザにとって煩雑であるとともに、前記車両内の状況に応じたオーディオシステムの音響特性を実現するまでに、多くの時間を要するという問題がある。
【０００７】
本発明の目的は、スピーカによって出力する音声の周波数特性を容易かつ短時間に調整することができる電子装置を提供することである。
【課題を解決するための手段】
【０００８】
本発明は、音声を出力する音声出力手段と、
音声出力手段から出力される音声を入力する音声入力手段と、
入力された音声の周波数特性に関連する特性情報を外部装置に出力する特性出力手段と、
音声出力手段によって出力する音声の周波数特性を決定するパラメータを入力するパラメータ入力手段と、
入力されるパラメータに基づいて、音声出力手段によって出力する音声の周波数特性を調整する音声特性調整手段とを含むことを特徴とする電子装置である。
【０００９】
また本発明は、特性出力手段は、記録媒体が着脱自在に装着され、装着された記録媒体に情報を記録する記録手段であることを特徴とする。
【００１０】
さらに本発明は、パラメータ入力手段は、記録媒体が着脱自在に装着され、装着された記録媒体に記録される情報を再生する再生手段であることを特徴とする。
【００１１】
さらに本発明は、記録媒体は、半導体メモリであることを特徴とする。
さらに本発明は、特性出力手段は、無線電波を介して外部装置と無線通信を行い、外部装置に情報を送信する無線通信手段であることを特徴とする。
【００１２】
さらに本発明は、パラメータ入力手段は、無線電波を介して外部装置と無線通信を行い、外部装置から送信される情報を受信する無線通信手段であることを特徴とする。
【発明の効果】
【００１３】
本発明によれば、音声出力手段から音声が出力され、出力された音声が音声入力手段に入力する。特性出力手段は、入力された音声の周波数特性に関連する特性情報を外部装置に出力する。外部装置では、前記特性情報に基づいて、音声出力手段によって出力される音声の周波数特性を決定するパラメータを求める。このパラメータが、パラメータ入力手段に入力されると、音声特性調整手段は、入力されたパラメータに基づいて、音声出力手段によって出力する音声の周波数特性が最適になるように、たとえば前記音声の音圧周波数特性が平坦になるように調整する。
【００１４】
前述のように、特性出力手段によって、音声入力手段に入力された音声の周波数特性に関連する特性情報を外部装置に出力し、外部装置で求められた、音声出力手段によって出力される音声の周波数特性を決定するパラメータをパラメータ入力手段に入力するだけで、音声特性調整手段によって、音声出力手段によって出力する音声の周波数特性が最適になるように、たとえば前記音声の音圧周波数特性が平坦になるように、容易に調整することができる。
【００１５】
また本発明によれば、特性出力手段は、記録媒体が着脱自在に装着され、装着された記録媒体に情報を記録する記録手段である。したがって、音声出力手段から出力され、音声入力手段に入力された音声の周波数特性に関連する特性情報が記録された記録媒体を電子装置に装着するだけで、特性出力手段によって、前記特性情報を容易に記録媒体に記録することができる。
【００１６】
また本発明によれば、パラメータ入力手段は、記録媒体が着脱自在に装着され、装着された記録媒体に記録される情報を再生する再生手段である。したがって、外部装置によって求められた、音声出力手段によって出力する音声の周波数特性を決定するパラメータが記録された記録媒体を電子装置に装着するだけで、パラメータ入力手段によって、前記パラメータを容易に再生することができる。これによって、電子装置の音声特性を調整するたびに、音声出力手段によって出力する音声の周波数特性を決定するパラメータを求める作業と、前記パラメータに基づいて音声の周波数特性を調整する作業とを繰返して行う必要がなくなる。したがって、記録媒体に記録されたパラメータに基づいて、容易かつ短時間に音声出力手段によって出力する音声の周波数特性を調整することができ、利便性が向上する。
【００１７】
また本発明によれば、記録媒体として、たとえばフラッシュメモリなどの半導体メモリが用いられる。フラッシュメモリは、情報の記録および再生を短時間に行うことができるとともに、比較的小型でかつ軽量であるので、容易に持運ぶことができ、利便性が向上する。
【００１８】
また本発明によれば、特性出力手段は、無線電波を介して外部装置と無線通信を行い、外部装置に情報を送信する無線通信手段であるので、音声入力手段に入力された音声の周波数特性に関連する特性情報を、無線電波を介して外部装置に送信することができる。
【００１９】
したがって、ユーザが、半導体メモリなどの記録媒体を電子装置に装着して、前記特性情報を記録媒体に記録し、この特性情報が記録された記録媒体を外部装置に装着して、記録媒体に記録される特性情報を外部装置で再生する必要がないので、ユーザの前述の作業の手間を省くことができる。また、無線電波を介して外部装置へ前記特性情報を送信することによって、記録媒体を用いて特性情報を外部装置に供給する場合に比べて、特性情報を外部装置に供給するまでにかかる時間を短縮することができる。
【００２０】
また本発明によれば、パラメータ入力手段は、無線電波を介して外部装置と無線通信を行い、外部装置から送信される情報を受信する無線通信手段であるので、外部装置から無線電波を介して情報、たとえば音声出力手段によって出力する音声の周波数特性を決定するパラメータが送信されたときは、外部装置から送信された前記パラメータを受信することができる。
【００２１】
したがって、ユーザが、半導体メモリなどの記録媒体を外部装置に装着して、前記情報を記録媒体に記録し、この情報が記録された記録媒体を電子装置に装着して、記録媒体に記録される情報を電子装置で再生する必要がないので、ユーザの前述の作業の手間を省くことができる。また、無線電波を介して外部装置から送信される前記情報を受信することによって、記録媒体を用いて外部装置からの情報を取得する場合に比べて、外部装置の情報を取得するまでにかかる時間を短縮することができる。
【発明を実施するための最良の形態】
【００２２】
図１は、本発明の実施の一形態である音声特性調整システム１の構成を簡略化して示すブロック図である。音声特性調整システム１は、車載装置２、通信端末装置３およびサーバ装置５を含んで構成される。音声特性調整システム１において、通信端末装置３とサーバ装置５とは、公衆回線網を介して通信可能に接続される。本実施形態において、公衆回線網は、インターネット４である。車載装置２は、自動車などの車両に搭載される電子装置であって、たとえばコンパクトディスク（Compact Disk；略称：ＣＤ）およびミニディスク（Mini Disk；略称：ＭＤ）などを再生するオーディオ装置によって実現される。通信端末装置３は、たとえばパーソナルコンピュータによって実現される。
【００２３】
車載装置２は、ＣＰＵ（Central Processing Unit）１１、スピーカ１２、マイクロフォン１３、入力部１４、表示部１５、ＲＯＭ（Read Only Memory）１６、ＲＡＭ（Random Access Memory）１７、音声特性調整部１８、メモリスティックスロット１９およびメモリスティック制御部２０を含む。
【００２４】
ＣＰＵ１１は、後述するＲＯＭ１６に予め記憶されるプログラムに基づいて、車載装置２を構成する上記のスピーカ１２、マイクロフォン１３、入力部１４、表示部１５、ＲＯＭ１６、ＲＡＭ１７、音声特性調整部１８、メモリスティックスロット１９およびメモリスティック制御部２０を含むハードウェア資源を制御する。
【００２５】
スピーカ１２は、音声を出力する音声出力手段である。マイクロフォン１３は、入力された音声を音声信号に変換する音声入力手段である。入力部１４は、スピーカによって出力する音声の周波数特性を決定するパラメータを入力するパラメータ入力手段である。
【００２６】
入力部１４は、車載装置２の電源キー、置数キー、所定の入力情報が設定された機能キーおよび音声を再生する音声再生モードと、スピーカ１２によって出力する音声の周波数特性を決定するパラメータに基づいて、スピーカ１２によって出力する音声の周波数特性を調整する音声特性調整モードとを切換える切換キーを含む。ユーザによって入力部１４の所定のキーが押下されると、所定のキーに基づく車載装置２の動作指示信号がＣＰＵ１１に送信される。
【００２７】
表示部１５は、ＣＰＵ１１から出力される表示動作制御信号に基づいて、画像情報および車載装置２の動作状態に関連する情報を表示する。詳細に述べると、表示部１５は、たとえば周波数帯域毎の音圧レベルを表すイコライザの情報およびサーバ装置５で求められた、スピーカ１２によって出力する音声の周波数特性を決定するパラメータなどを表示する。表示部１５は、たとえば液晶ディスプレイおよびエレクトロルミネッセンスディスプレイなどによって実現される。
【００２８】
ＲＯＭ１６には、車載装置２が動作するために必要な動作プログラムが記憶される。ＲＯＭ１６は、たとえば不揮発性メモリであるフラッシュメモリによって実現される。ＲＡＭ１７には、車載装置２の製品シリアル番号、製品機種名およびスピーカ１２によって出力する音声の周波数特性を決定するパラメータなどが記憶される。
【００２９】
音声特性調整部１８は、スピーカ１２によって出力する音声の周波数特性を決定するパラメータに基づいて、スピーカ１２によって出力する音声の周波数特性を調整する音声特性調整手段である。
【００３０】
メモリスティックスロット１９には、フラッシュメモリの一種であるメモリスティックが着脱可能に装着される。メモリスティック制御部２０は、メモリスティックスロット１９に装着されるメモリスティックに情報を記録する処理およびメモリスティックに記録されている情報を再生する処理を行う。
【００３１】
メモリスティックスロット１９およびメモリスティック制御部２０は、車載装置２のスピーカ１２から出力され、車両内で取得した音声の周波数特性に関連する特性情報を外部装置、たとえば通信端末装置３に出力する特性出力手段である。また、ＣＰＵ１１、メモリスティックスロット１９およびメモリスティック制御部２０は、装着された記録媒体に情報を記録する記録手段であり、ＣＰＵ１１、入力部１４、メモリスティックスロット１９およびメモリスティック制御部２０は、装着された記録媒体に記録される情報を再生する再生手段である。
【００３２】
通信端末装置３は、ＣＰＵ（Central Processing Unit）３１、ＲＯＭ（Read Only
Memory）３２、ＲＡＭ（Random Access Memory）３３、メモリスティックスロット３４およびメモリスティック制御部３５を含む。
【００３３】
ＣＰＵ３１は、後述するＲＯＭ３２に記憶されるプログラムに基づいて、通信端末装置３を構成する上記ＲＯＭ３２、ＲＡＭ３３、メモリスティックスロット３４およびメモリスティック制御部３５を含むハードウェア資源を制御する。
【００３４】
ＲＯＭ３２には、通信端末装置３が動作するために必要な動作プログラムが記憶される。ＲＯＭ３２は、たとえば不揮発性メモリであるフラッシュメモリによって実現される。ＲＡＭ３３には、メモリスティックスロット３４に装着されるメモリスティックに記録されている情報およびインターネット４を介してサーバ装置５から送信される情報が記憶される。
【００３５】
メモリスティックスロット３４には、フラッシュメモリの一種であるメモリスティックが着脱可能に装着される。メモリスティック制御部３５は、メモリスティックスロット３４に装着されるメモリスティックに情報を記録する処理およびメモリスティックに記録されている情報を再生する処理を行う。
【００３６】
サーバ装置５は、インターネット４に接続されるサービス専用サーバである。サーバ装置５は、パラメータ演算部４１を含む。パラメータ演算部４１は、車載装置２のスピーカ１２から出力され、かつ車両内で取得した音声の周波数特性に関連する特性情報に基づいて、スピーカ１２によって出力する音声の周波数特性を決定するパラメータを求める演算プログラムを含む。サーバ装置５は、前記演算プログラムに従って、前記パラメータを求める。インターネット４を介して通信端末装置３から前記特性情報が送信されると、サーバ装置５は前記特性情報を受信する。パラメータ演算部４１は、前記プログラムに従って、前記受信した特性情報に基づいて前記パラメータを求める。サーバ装置５は、求めたパラメータをインターネット４を介して通信端末装置３に送信する。
【００３７】
図２は、音声特性調整システム１における音声の周波数特性を調整する処理手順を説明するためのフローチャートである。音声の周波数特性を調整する処理の開始時は、車載装置２および通信端末装置３が動作可能である。また、通信端末装置３およびサーバ装置５は、インターネット４に接続されており、インターネット４を介して互いに通信可能である。
【００３８】
ステップＳ１において、ＣＰＵ１１は、車載装置２が音声特性調整モードに設定されているか否かを判断する。ステップＳ１において、車載装置２が音声特性調整モードに設定されていないと判断されたときはステップＳ２に進み、車載装置２が音声特性調整モードに設定されていると判断されたときはステップＳ３に進む。
【００３９】
ステップＳ２では、入力部１４の切換キーを操作することによって、スピーカ１２によって出力する音声の周波数特性を調整する音声特性調整モードに設定する。
【００４０】
ステップＳ３では、車両内の音声の周波数特性に関連する特性情報を取得する。特性情報を取得するために、まず、車両内の所定の位置、たとえば運転席、助手席、左後部座席および右後部座席などの聴取者の乗車位置を想定し、その位置のいずれか１箇所にマイクロフォン１３を配置する。所定の位置に設置されるスピーカ１２から音声信号、たとえばピンクノイズを出力させ、スピーカ１２から出力されたピンクノイズを、マイクロフォン１３に入力させる。マイクロフォン１３に入力したピンクノイズは、電気信号に変換されてＣＰＵ１１によって信号解析が行われる。この信号解析の結果、マイクロフォン１３に入力したピンクノイズの周波数特性情報、たとえば周波数帯域毎の音圧レベルの情報が得られる。前述の作業を、マイクロフォン１３の配置位置、たとえば前述の座席の位置を変えて複数回行うことによって、各座席位置における複数の周波数特性情報を取得する。取得した各周波数特性情報と、この周波数特性情報に関連する座席位置、スピーカの配置位置および車両の車種とを含む情報を、前記特性情報として、ＲＡＭ１７に記憶する。
【００４１】
ステップＳ４では、メモリスティックを車載装置２のメモリスティックスロット１９に装着する。ステップＳ５では、メモリスティック制御部２０によって、ＲＡＭ１７に記憶されている前記特性情報をメモリスティックに記録する。ステップＳ６では、メモリスティックを車載装置２のメモリスティックスロットから離脱する。
【００４２】
ステップＳ７では、メモリスティックを通信端末装置３のメモリスティックスロット３４に装着する。ステップＳ８では、通信端末装置３のメモリスティック制御部３５が、メモリスティックに記録されている前記特性情報を再生し、ＲＡＭ３３に記憶させる。
【００４３】
ステップＳ９において、通信端末装置３は、ＲＡＭ３３に記憶されている前記特性情報を、インターネット４を介して通信端末装置３からサーバ装置５へ送信する。
【００４４】
ステップＳ１０において、サーバ装置５は、通信端末装置３から送信された前記特性情報を受信する。そして、パラメータ演算部４１に格納されている演算プログラムに従って、受信した特性情報に基づいて、車載装置２のスピーカ１２から出力する音声の周波数特性を決定するパラメータを求める。
【００４５】
ここで、前記パラメータについて詳細に述べると、パラメトリックイコライザの情報、聴取位置からスピーカまでの距離情報および複数のスピーカ１２の各スピーカ１２から出力させる音声の周波数帯域の情報を表すパラメータであって、スピーカ１２から出力する音声の周波数特性が最適になるように、本実施形態では、音圧周波数特性が平坦になるように調整するためのパラメータである。前記パラメータは、さらに具体的に述べると、各周波数帯域における音圧レベルの調整量である。なお、パラメトリックイコライザは、可聴周波数帯域を分割して各帯域の音圧レベルを調整できるグラフィックイコライザにおいて、１つの周波数帯域分のカーブにおける山、谷の鋭さおよび中心周波数を任意の値に設定できるイコライザである。
【００４６】
ステップＳ１１において、サーバ装置５は、パラメータ演算部４１の演算プログラムに従って求めた前記パラメータを、インターネット４を介してサーバ装置５から通信端末装置３へ送信する。
【００４７】
ステップＳ１２において、通信端末装置３は、サーバ装置５から送信された前記パラメータを受信し、受信したパラメータをＲＡＭ３３に記憶する。そして、メモリスティック制御部３５によって、ＲＡＭ３３に記憶されているパラメータをメモリスティックに記録する。ステップＳ１３では、メモリスティックを通信端末装置３のメモリスティックスロット３４から離脱する。
【００４８】
ステップＳ１４では、メモリスティックを車載装置２のメモリスティックスロット１９に装着する。ステップＳ１５において、ＣＰＵ１１は、車載装置２が音声特性調整モードに設定されているか否かを判断する。ステップＳ１５において、車載装置２が音声特性調整モードに設定されていないと判断されたときはステップＳ１６に進み、車載装置２が音声特性調整モードに設定されていると判断されたときはステップＳ１７に進む。
【００４９】
ステップＳ１６では、スピーカ１２によって出力する音声の周波数特性を調整する音声特性調整モードに設定する。
【００５０】
ステップＳ１７では、車載装置２のメモリスティック制御部２０が、メモリスティックに記録されている前記パラメータを再生する。ステップＳ１８では、メモリスティック制御部２０によって再生された前記パラメータをＲＡＭ１７に記憶させ、予めＲＡＭ１７に記憶されていた音声特性を調整するためのパラメータを消去することによって、パラメータの書換えを行う。なお、パラメータの書換えは、車載装置２におけるＲＡＭ１７の記憶容量の超過を防止するための処理である。したがって、記憶容量に問題のない場合には、パラメータの書換えを行わなくてもよい。
【００５１】
ステップＳ１９では、ユーザは、表示部１５に表示されるパラメータを参照して、パラメータを入力部１４に入力し、音声特性調整部１８において、スピーカ１２から出力する音声の周波数特性が最適になるように、本実施形態では、音声の音圧周波数特性が平坦になるように調整して、処理を終了する。なお、表示部１５に、乗車位置およびそれに対応するパラメータを表示するようにしておけば、ユーザは、乗車位置に対応するパラメータを選択することができ、スピーカ１２から出力する音声の周波数特性がより最適になるように、本実施形態では音声の音圧周波数特性がより平坦になるように調整することができる。これによって、利便性が向上する。
【００５２】
前述のように、音声特性調整システム１では、車載装置２のユーザは、スピーカ１２から出力され、かつ車両内で取得した音声の周波数特性に関連する特性情報を通信端末装置３に入力するだけでよい。したがって、車載装置２のユーザは、従来技術のように、たとえば車載装置２を搭載する車両の車種および車載装置の製品名などの情報を予め調べて把握しておく必要がないので、ユーザの負担を軽減することができる。またユーザは、従来技術のように、前記情報を手入力する必要がないので、手入力する煩雑さを解消することができる。
【００５３】
また、音声特性調整システム１におけるサーバ装置５のパラメータ演算部４１では、スピーカ１２から出力され、かつ車両内で取得した音声の周波数特性に関連する特性情報に基づいて、聴取者の乗車位置などの車両内の状況に応じた車載装置２の出力特性、換言すれば、スピーカ１２によって出力する音声の周波数特性を決定するパラメータを容易かつ確実に求めることができる。また、サーバ装置５のパラメータ演算部４１で求められた、スピーカ１２によって出力される音声の周波数特性を決定するパラメータを入力部１４に入力するだけで、音声特性調整部１８は、前記パラメータに基づいて、スピーカ１２によって出力する音声の周波数特性が最適になるように、本実施形態では音声の音圧周波数特性が平坦になるように、容易に調整することができる。
【００５４】
音声特性調整システム１では、サーバ装置５のパラメータ演算部４１によって求められたパラメータがインターネット４を介してサーバ装置５から通信端末装置３に送信され、この送信されたパラメータを通信端末装置３が受信した後で、通信端末装置３のメモリスティックスロット１９に、記録媒体であるメモリスティックを装着するだけで、メモリスティック制御部２０によって、前記パラメータを容易にメモリスティックに記録することができる。また、車載装置２のスピーカ１２から出力され、車両内で取得した音声の周波数特性に関連する特性情報が記録されたメモリスティックを通信端末装置３のメモリスティックスロット３４に装着するだけで、メモリスティック制御部３５によって、前記特性情報を容易に再生することができる。
【００５５】
また、サーバ装置５によって求められた、スピーカ１２によって出力する音声の周波数特性を決定するパラメータが記録されたメモリスティックを車載装置２のメモリスティックスロット１９に装着するだけで、メモリスティック制御部２０によって、前記パラメータを容易に再生することができる。これによって、車載装置２のスピーカ１２によって出力する音声の周波数特性を調整するたびに、前記パラメータを求める作業と、前記パラメータに基づいて音声の周波数特性を調整する作業とを繰返して行う必要がなくなる。したがって、メモリスティックに記録されたパラメータを即座に再生し、このパラメータに基づいて、車載装置２のスピーカ１２によって出力する音声の周波数特性が最適になるように、本実施形態では音声の音圧周波数特性が平坦になるように、容易かつ短時間に調整することができ、利便性が向上する。
【００５６】
音声特性調整システム１では、記録媒体として、フラッシュメモリの一種であるメモリスティックが用いられる。メモリスティックは、情報の記録および再生を短時間に行うことができるとともに、比較的小型で、容易に持運ぶことができるので、利便性が向上する。
【００５７】
また、サーバ装置５のパラメータ演算部４１によって求められたパラメータおよび前記特性情報をサーバ装置５に蓄積することによって、前記パラメータおよび特性情報に基づいた音声特性の調整に関する情報のデータベースを構築することができる。これによって、ユーザは、サーバ装置５に構築される前記データベースの中から所望の情報を容易に入手することができ、利便性が向上する。
【００５８】
図３は、本発明の実施の他の形態である音声特性調整システム５０の構成を簡略化して示すブロック図である。音声特性調整システム５０は、前述の音声特性調整システム１と類似しており、対応する部分には同一の参照符を付して、説明を省略する。
【００５９】
音声特性調整システム５０の車載装置２は、音声特性調整システム１の車載装置２におけるメモリスティックスロット１９およびメモリスティック制御部２０に代えて、無線通信部２１を含んで構成される。また、音声特性調整システム５０の通信端末装置３は、音声特性調整システム１の通信端末装置３におけるメモリスティックスロット３４およびメモリスティック制御部３５に代えて、無線通信部３６を含んで構成される。
【００６０】
車載装置２の無線通信部２１は、無線電波を介して通信端末装置３と無線通信を行い、情報の送受信を行う無線通信手段である。通信端末装置３の無線通信部３６は、無線電波を介して車載装置２と無線通信を行い、情報の送受信を行う無線通信手段である。車載装置２の無線通信部２１および通信端末装置３の無線通信部３６は、たとえばブルートゥース（Bluetooth）規格に基づく無線通信装置によって実現される。
【００６１】
無線通信部３６を備える通信端末装置３を、無線通信部２１を備える車載装置２が搭載される車両外の近傍または車両内に配置して、車載装置２の無線通信部２１と通信端末装置３の無線通信部３６との間で、無線電波を介して無線通信を行う。これによって、車両内で取得した音声の周波数特性に関連する特性情報の送受信、およびサーバ装置５によって求められ、スピーカ１２によって出力する音声の周波数特性を決定するパラメータの送受信を、無線電波を介して行うことができ、前述の音声特性調整システム１と同様の効果を得ることができる。
【００６２】
また、車載装置２と通信端末装置３との間で、無線電波を介した無線通信を行うことによって、メモリスティックを車載装置２および通信端末装置３に装着させる作業、ならびにメモリスティックを車載装置２および通信端末装置３から離脱させる作業の手間を省くことができる。これによって、メモリスティックなどの記録媒体を車載装置２および通信端末装置３に装着して情報の記録および再生を行う場合に比べて、車載装置２が通信端末装置３に情報を供給して、通信端末装置３が車載装置２から供給される情報を取得するまでにかかる時間、ならびに通信端末装置３が車載装置２に情報を供給して、車載装置２が通信端末装置３から供給される情報を取得するまでにかかる時間を短縮することができる。
【００６３】
したがって、メモリスティックなどの記録媒体を車載装置２および通信端末装置３に装着して情報の記録および再生を行う場合に比べて、スピーカ１２によって出力する音声の周波数特性が最適になるように、本実施形態では音声の音圧周波数特性が平坦になるように調整するまでにかかる時間を短縮することができる。
【００６４】
前述の実施形態では、公衆回線網としてインターネット４を適用した場合の音声特性調整システム１，５０の構成について述べたが、本発明の他の実施形態では、たとえば広域通信網（Wide Area Network ；略称：ＷＡＮ）などに対しても、好適に実施することができる。
【００６５】
また、前述の実施形態では、車載装置２および通信端末装置３に着脱自在に装着される記録媒体としてメモリスティックを適用した場合の音声特性調整システム１の構成について述べたが、本発明の他の実施形態では、たとえばコンパクトフラッシュ（登録商標）カードおよびＳＤ（Secure Digital）メモリカードなどの記録媒体に対しても、好適に実施することができる。
【００６６】
また、前述の実施形態では、電子装置を車両に搭載して車載装置２として用いた場合の音声特性調整システム１，５０の構成について述べたが、本発明の他の実施形態では、車両に限らず、たとえば一般家屋の室内に電子装置を設置した場合にも、好適に実施することができる。
【図面の簡単な説明】
【００６７】
【図１】本発明の実施の一形態である音声特性調整システム１の構成を簡略化して示すブロック図である。
【図２】音声特性調整システム１における音声の周波数特性を調整する処理手順を説明するためのフローチャートである。
【図３】本発明の実施の他の形態である音声特性調整システム５０の構成を簡略化して示すブロック図である。
【符号の説明】
【００６８】
１，５０  音声特性調整システム
２  車載装置
３  通信端末装置
４  インターネット
５  サーバ装置
１１，３１  ＣＰＵ（Central Processing Unit）
１２  マイクロフォン
１３  スピーカ
１４  入力部
１５  表示部
１６，３２  ＲＯＭ（Read Only Memory）
１７，３３  ＲＡＭ（Random Access Memory）
１８  音声特性調整部
１９，３４  メモリスティックスロット
２０，３５  メモリスティック制御部
２１，３６  無線通信部
４１  パラメータ演算部
【図１】
2005086686.tif 000003
【図２】
2005086686.tif 000004
【図３】
2005086686.tif 000005